(57)【要約】【課題】装置の大型化を抑制するとともにマスク部材の長寿命化を図りつつ熱延鋼板の幅方向の温度分布を均一化可能な熱延鋼板の冷却装置のマスク部材位置調整方法を提供する。【解決手段】スプレーヘッダー２Ａが、本体部２０２Ａの内周面に設けられ熱延鋼板１の板幅方向に沿って延びるガイドレール２２２ＡU,Lと、ガイドレール２２２ＡU,Lに沿って移動するマスキングユニット２０３ＡL,Rとを内蔵し、マスキングユニット２０３ＡL,Rが、ガイドレール２２２ＡU,Lに沿って移動可能に設けられた支持体２３１Ａと、支持体２３１Ａに弾性体２３５Ａを介して支持される遮蔽板２３２Ａとを有し、遮蔽板２３２Ａが、水圧が作用していないときはスプレー板２０１Ａから離反し、弾性体２３５Ａが圧縮変形されることによりスプレー板２０１Ａに押圧されて所望の冷却水噴射孔を塞ぐ構成とした。【選択図】図４
2016215261.tif 000002
【特許請求の範囲】
【請求項１】
搬送方向に移動する熱延鋼板の上下に多数の冷却水噴射孔を有するスプレー板と当該スプレー板を覆う箱状の本体部とを具備するスプレーヘッダーを対向配置し、前記冷却水噴射孔から前記熱延鋼板に冷却水を吹き付けることによって前記熱延鋼板の冷却を行う熱延鋼板の冷却装置において、
前記スプレーヘッダーが、前記本体部の内周面に設けられ前記熱延鋼板の板幅方向に沿って延びる案内レールと、前記案内レールに沿って移動するマスク部材とを内蔵し、
前記マスク部材が、前記案内レールに沿って前記熱延鋼板の板幅方向に移動可能に設けられた支持体と、少なくとも上下方向に弾性変形可能な弾性体を介して前記支持体に支持される遮蔽体とを有し、
前記遮蔽体が、水圧が作用していないときは前記スプレー板から離反し、水圧が作用しているときは前記弾性体が圧縮変形されることにより前記スプレー板に押圧されて所望の前記冷却水噴射孔を塞ぐ
ことを特徴とする熱延鋼板の冷却装置。
【請求項２】
前記遮蔽体は、板状に形成されて前記スプレー板に対向する遮蔽板と、断面視概ねＶ字状に形成され解放部が外側を向くように前記遮蔽板の外周縁に固着された平面シールとからなる
ことを特徴とする請求項１に記載の熱延鋼板の冷却装置。
【請求項３】
前記遮蔽体は、金属からなる薄板と、該薄板を被覆する弾性体とからなり、前記スプレーヘッダーの外側で巻取可能に構成されて前記マスク部材の直下から前記熱延鋼板の板幅方向外側にある全ての前記冷却水噴射孔を覆うマスキングシートであり、
前記マスキングシートは、前記スプレーヘッダーに形成された貫通孔に、環状に形成された第一のシール部材を介して挿通され、
前記第一のシール部材は、水圧が作用していないときは前記薄板を被覆する弾性体に線接触する一方、水圧が作用しているときは前記薄板を被覆する弾性体を押圧する
ことを特徴とする請求項１に記載の熱延鋼板の冷却装置。
【請求項４】
前記遮蔽体の形状は、水量分布を幅方向に勾配をもって変化させるように、前記熱延鋼板の板幅方向に沿った長さが前記熱延鋼板の搬送方向に沿って変化する
ことを特徴とする請求項１から請求項３のいずれか１項に記載の熱延鋼板の冷却装置。
【請求項５】
前記スプレーヘッダーの外部に駆動源を有し、前記マスク部材を前記熱延鋼板の板幅方向に移動させる第一の移動手段を備える
ことを特徴とする請求項１から請求項４のいずれか１項に記載の熱延鋼板の冷却装置。
【請求項６】
前記第一の移動手段は、前記スプレーヘッダーの外側であり前記熱延鋼板の板幅方向の両側に各々設置された駆動ローラ及び非駆動ローラと、前記駆動ローラ及び非駆動ローラに巻きかけられて両端が前記マスク部材に固定されたワイヤとから構成され、
前記ワイヤは、弾性体により被覆され、前記スプレーヘッダーに形成された貫通孔に、環状に形成された第二のシール部材を介して挿通され、
前記第二のシール部材は、水圧が作用していないときは前記ワイヤを被覆する弾性体に線接触する一方、水圧が作用しているときは前記ワイヤを被覆する弾性体を押圧して該弾性体に密着する
ことを特徴とする請求項５に記載の熱延鋼板の冷却装置。
【請求項７】
前記スプレーヘッダーは、前記熱延鋼板の板幅中央部を挟んで対称に配置される複数の前記マスク部材を内蔵し、
前記第一の移動手段は、前記熱延鋼板の板幅方向の中央部を挟んで対向する前記マスク部材を、相互に連動して接近離反移動させる
ことを特徴とする請求項５又は請求項６に記載の熱延鋼板の冷却装置。
【請求項８】
前記第二のシール部材は、高剛性体からなり、水圧作用とは関係なくワイヤを被覆する弾性体に一定の押圧を与え密着するとともに、使用する水圧の大きさによって選択される
ことを特徴とする請求項６又は請求項７に記載の熱延鋼板の冷却装置。
【請求項９】
前記マスク部材の前記熱延鋼板の板幅方向の移動を規制するストッパーと、
前記マスク部材が前記ストッパーに当接したことを検出する当接検出手段と、
前記非駆動ローラに巻きかけられたワイヤに作用する荷重を測定する荷重測定手段と、
前記非駆動ローラを前記熱延鋼板の板幅方向に移動させる第二の移動手段とを備える
ことを特徴とする請求項７又は請求項８に記載の熱延鋼板の冷却装置。
【請求項１０】
請求項９に記載の熱延鋼板の冷却装置において、
前記駆動ローラを回転させて前記熱延鋼板の板幅方向の中央部を挟んで対向する前記マスク部材を相互に離反する方向へ移動させ、
前記当接検出手段により少なくとも一方の前記マスク部材が前記ストッパーに当接したことを検出したら前記荷重測定手段による測定値が予め設定する値となるまで前記第二の移動手段により前記非駆動ローラを前記熱延鋼板の板幅方向に移動させる
ことを特徴とする熱延鋼板の冷却装置のマスク部材位置調整方法。
【発明の詳細な説明】
【技術分野】
【０００１】
本発明は、熱延鋼板の冷却装置及びそのマスク部材位置調整方法に関する。
【背景技術】
【０００２】
従来、熱間圧延した高温の熱延鋼板を冷却する、又は熱延鋼板を再加熱して熱処理を行う工程において熱延鋼板を冷却する冷却装置には、熱延鋼板の幅方向の温度分布を均一化することを目的として、熱延鋼板の冷却を行う冷却装置のヘッダーに取り付けられる冷却ノズルと熱延鋼板との間に、熱延鋼板の幅方向に移動可能に構成されて冷却ノズルから熱延鋼板のエッジ付近に供給される冷却水を遮蔽する遮蔽体を設けたものがある（例えば、特許文献１〜３参照）。
【０００３】
また、ヘッダーを、冷却水噴射ノズルを有する外側冷却ヘッダーと、圧空噴射ノズルを有する内側冷却ヘッダーとからなる二重構造とし、内側冷却ヘッダーの両端部にヘッダー長手方向に移動して圧空の噴射を遮断するマスク部材を内嵌し、冷却水噴射幅を制御するものもある（例えば、特許文献４参照）。
【先行技術文献】
【特許文献】
【０００４】
【特許文献１】特開２００９−２４８１７７号公報
【特許文献２】特開２００４−３５１５０１号公報
【特許文献３】特開平７−１５０２２９号公報
【特許文献４】特開平６−２４６３３３号公報
【発明の概要】
【発明が解決しようとする課題】
【０００５】
しかしながら、上述した特許文献１〜３に記載された冷却装置にあっては、遮蔽体が冷却ノズルと熱延鋼板との間に設けられるため、遮蔽体を移動可能とし且つ設定位置に固定するための構造および遮蔽体によって遮蔽した冷却水を逃がすための水圧に耐える構造が必要となり、遮蔽板の周辺構造物が大型化かつ複雑化するという問題があった。また、遮蔽体を冷却ノズルと高温の熱延鋼板との間に配設することにより該遮蔽体が熱変形を生じるおそれもあった。更に、遮蔽体を熱延鋼板の下面側を冷却する下ヘッダーの冷却ノズルと熱延鋼板との間に設置する場合には、熱延鋼板と干渉しても損傷しない強固なものにしなければならず、大型化が避けられないという問題もあった。
【０００６】
また、上述した特許文献４に記載された冷却装置にあっては、マスク部材の材質として、気密性を保つために天然ゴム、シリコン材、ウレタン材等が選定され、かつ、マスク部が同時に相反する方向に自在に往復移動できる仕組みとなっており、マスク部材を移動させる際、マスク部材が内側冷却ヘッダーに摺接することによりマスク部材が摩耗し劣化しやすくなる問題があった。
【０００７】
このようなことから本発明は、装置の大型化を抑制するとともにマスク部材の長寿命化を図りつつ、熱延鋼板の幅方向の温度分布を均一化することを可能とした熱延鋼板の冷却装置及びそのマスク部材位置調整方法を提供することを目的とする。
【課題を解決するための手段】
【０００８】
上記の課題を解決するための第１の発明に係る熱延鋼板の冷却装置は、
搬送方向に移動する熱延鋼板の上下に多数の冷却水噴射孔を有するスプレー板と当該スプレー板を覆う箱状の本体部とを具備するスプレーヘッダーを対向配置し、前記冷却水噴射孔から前記熱延鋼板に冷却水を吹き付けることによって前記熱延鋼板の冷却を行う熱延鋼板の冷却装置において、
前記スプレーヘッダーが、前記本体部の内周面に設けられ前記熱延鋼板の板幅方向に沿って延びる案内レールと、前記案内レールに沿って移動するマスク部材とを内蔵し、
前記マスク部材が、前記案内レールに沿って前記熱延鋼板の板幅方向に移動可能に設けられた支持体と、少なくとも上下方向に弾性変形可能な弾性体を介して前記支持体に支持される遮蔽体とを有し、
前記遮蔽体が、水圧が作用していないときは前記スプレー板から離反し、水圧が作用しているときは前記弾性体が圧縮変形されることにより前記スプレー板に押圧されて所望の前記冷却水噴射孔を塞ぐ
ことを特徴とする。
【０００９】
また、第２の発明に係る熱延鋼板の冷却装置は、第１の発明において、
前記遮蔽体は、板状に形成されて前記スプレー板に対向する遮蔽板と、断面視概ねＶ字状に形成され解放部が外側を向くように前記遮蔽板の外周縁に固着された平面シールとからなる
ことを特徴とする。
【００１０】
また、第３の発明に係る熱延鋼板の冷却装置は、第１の発明において、
前記遮蔽体は、金属からなる薄板と、該薄板を被覆する弾性体とからなり、前記スプレーヘッダーの外側で巻取可能に構成されて前記マスク部材の直下から前記熱延鋼板の板幅方向外側にある全ての前記冷却水噴射孔を覆うマスキングシートであり、
前記マスキングシートは、前記スプレーヘッダーに形成された貫通孔に、環状に形成された第一のシール部材を介して挿通され、
前記第一のシール部材は、水圧が作用していないときは前記薄板を被覆する弾性体に線接触する一方、水圧が作用しているときは前記薄板を被覆する弾性体を押圧する
ことを特徴とする。
【００１１】
また、第４の発明に係る熱延鋼板の冷却装置は、第１から第３のいずれか一つの発明において、
前記遮蔽体の形状は、水量分布を幅方向に勾配をもって変化させるように、前記熱延鋼板の板幅方向に沿った長さが前記熱延鋼板の搬送方向に沿って変化する
ことを特徴とする。
【００１２】
また、第５の発明に係る熱延鋼板の冷却装置は、第１から第４のいずれか一つの発明において、
前記スプレーヘッダーの外部に駆動源を有し、前記マスク部材を前記熱延鋼板の板幅方向に移動させる第一の移動手段を備える
ことを特徴とする。
【００１３】
また、第６の発明に係る熱延鋼板の冷却装置は、第５の発明において、
前記第一の移動手段は、前記スプレーヘッダーの外側であり前記熱延鋼板の板幅方向の両側に各々設置された駆動ローラ及び非駆動ローラと、前記駆動ローラ及び非駆動ローラに巻きかけられて両端が前記マスク部材に固定されたワイヤとから構成され、
前記ワイヤは、弾性体により被覆され、前記スプレーヘッダーに形成された貫通孔に、環状に形成された第二のシール部材を介して挿通され、
前記第二のシール部材は、水圧が作用していないときは前記ワイヤを被覆する弾性体に線接触する一方、水圧が作用しているときは前記ワイヤを被覆する弾性体を押圧して該弾性体に密着する
ことを特徴とする。
【００１４】
また、第７の発明に係る熱延鋼板の冷却装置は、第６の発明において、
前記スプレーヘッダーは、前記熱延鋼板の板幅中央部を挟んで対称に配置される複数の前記マスク部材を内蔵し、
前記第一の移動手段は、前記熱延鋼板の板幅方向の中央部を挟んで対向する前記マスク部材を、相互に連動して接近離反移動させる
ことを特徴とする。
【００１５】
また、第８の発明に係る熱延鋼板の冷却装置は、第６又は第７の発明において、
前記第二のシール部材は、高剛性体からなり、水圧作用とは関係なくワイヤを被覆する弾性体に一定の押圧を与え密着するとともに、使用する水圧の大きさによって選択される
ことを特徴とする。
【００１６】
また、第９の発明に係る熱延鋼板の冷却装置は、第７又は第８の発明において、
前記マスク部材の前記熱延鋼板の板幅方向の移動を規制するストッパーと、
前記マスク部材が前記ストッパーに当接したことを検出する当接検出手段と、
前記非駆動ローラに巻きかけられたワイヤに作用する荷重を測定する荷重測定手段と、
前記非駆動ローラを前記熱延鋼板の板幅方向に移動させる第二の移動手段とを備える
ことを特徴とする。
【００１７】
また、第１０の発明に係る熱延鋼板の冷却装置のマスク部材位置調整方法は、第９の発明において、
前記駆動ローラを回転させて前記熱延鋼板の板幅方向の中央部を挟んで対向する前記マスク部材を相互に離反する方向へ移動させ、
前記当接検出手段により少なくとも一方の前記マスク部材が前記ストッパーに当接したことを検出したら前記荷重測定手段による測定値が予め設定する値となるまで前記第二の移動手段により前記非駆動ローラを前記熱延鋼板の板幅方向に移動させる
ことを特徴とする。
【発明の効果】
【００１８】
上述した本発明に係る熱延鋼板の冷却装置によれば、装置の大型化を抑制するとともにマスク部材の長寿命化を図りつつ、熱延鋼板の幅方向の温度分布を均一化することが可能となる。また、本発明に係る熱延鋼板の冷却装置のマスク部材位置調整方法によれば、マスク部材がスプレーヘッダーに内蔵さてた状態であってもマスク部材の位置調整を高精度に行うことができる。
【図面の簡単な説明】
【００１９】
【図１】本発明の実施例１に係る熱延鋼板の冷却装置の斜視図であり、図１（ａ）はマスキングユニットを離間させた例を示し、図１（ｂ）はマスキングユニットを近接させた例を示す。
【図２】図２（ａ）は図１のII−II矢視断面図、図２（ｂ）は図２（ａ）のＢ部詳細図、図２（ｃ）は図２（ａ）のＣ−Ｃ矢視図である。
【図３】図１のIII−III矢視断面図である。
【図４】図４（ａ）はスプレー不使用時における図１のIV−IV矢視断面図、図４（ｂ）は図４（ａ）の部分拡大図、図４（ｃ）は図４（ａ）の他の部分拡大図である。
【図５】図５（ａ）はスプレー使用時における図１のIV−IV矢視断面図、図５（ｂ）は図５（ａ）の部分拡大図、図５（ｃ）は図５（ａ）の他の部分拡大図である。
【図６】図６（ａ）は図２のVI部拡大図、図６（ｂ）は図６（ａ）の一部を示す側面図である。
【図７】図７（ａ）はスプレー不使用時におけるワイヤシールの断面拡大図、図７（ｂ）はスプレー使用時におけるワイヤシールの断面拡大図である。
【図８】マスキングユニットのゼロ点調整を説明するための模式図である。
【図９】一方のマスキングユニットのみが位置決めストッパーに当接した例を示す模式図である。
【図１０】他方のマスキングユニットのみが位置決めストッパーに当接した例を示す模式図である。
【図１１】両方のマスキングユニットが位置決めストッパーに当接した例を示す模式図である。
【図１２】マスキングユニットのゼロ点調整が完了した例を示す模式図である。
【図１３】図２（ａ）の他のｂ部詳細図である。
【図１４】図１４（ａ）は本発明の実施例２に係る熱延鋼板の冷却装置の内部構造を示す説明図、図１４（ｂ）は板幅方向における冷却水の流量の変化を示す説明図である。
【図１５】図１５（ａ）は本発明の実施例３に係る熱延鋼板の冷却装置の板外部のスプレーを遮断するマスキングシートを持ったヘッダ構造の内部を示す説明図、図１５（ｂ）は図１５（ａ）の部分拡大図、図１５（ｃ）は図１５（ｂ）の一部を示す側面図である。
【図１６】図１６（ａ）は本発明の実施例３に係る熱延鋼板の冷却装置の他のマスキングユニットを持ったヘッダ構造の内部を示す説明図、図１６（ｂ）は図１６（ａ）の部分拡大図、図１６（ｃ）は図１６（ｂ）の一部を示す側面図である。
【発明を実施するための形態】
【００２０】
以下、図面を参照しつつ本発明に係る熱延鋼板の冷却装置及びそのマスク部材位置調整方法について説明する。
【実施例１】
【００２１】
図１から図１３に基づいて本発明の実施例１に係る熱延鋼板の冷却装置及びそのマスク部材位置調整方法を詳細に説明する。
図１に示すように、本実施例に係る熱延鋼板の冷却装置は、高温の熱延鋼板１を図１中矢印Ｘで示す水平方向（以下、鋼板搬送方向Ｘという）へ連続的に搬送させつつ、該熱延鋼板１の上下に対向配置した上，下スプレーヘッダー２Ａ，２Ｂから水を吹き付けることによって熱延鋼板１を冷却する設備である。上，下スプレーヘッダー２Ａ，２Ｂ（以下、総称する場合はスプレーヘッダー２という）は概ね上下対称の構造となっているので、以下、上スプレーヘッダー２Ａを例に説明する。
【００２２】
図１から図３に示すように、上スプレーヘッダー２Ａは、鋼板搬送方向Ｘ及び図１中矢印Ｙで示す熱延鋼板１の幅方向（以下、鋼板板幅方向Ｙという）に沿ってそれぞれ幅方向及び長手方向を向けて配設された板状のスプレー板２０１Ａと、該スプレー板２０１Ａを覆う概ね箱状のスプレーヘッダー本体部２０２Ａと、スプレー板２０１Ａ及びスプレーヘッダー本体部２０２Ａによって形成された中空部に配設され鋼板板幅方向Ｙに沿って相互に接近離反移動できるように配設された二つのマスキングユニット２０３ＡL，２０３ＡRとを具備している（以下、鋼板搬送方向Ｘの上流側から見て左側に位置するマスキングユニット２０３ＡLを「左マスキングユニット２０３ＡL」、鋼板搬送方向Ｘの上流側から見て右側に位置するマスキングユニット２０３ＡRを「右マスキングユニット２０３ＡR」と呼称し、総称する場合は「マスキングユニット２０３ＡL,R」と呼称する）。
【００２３】
スプレー板２０１Ａには、鋼板搬送方向Ｘについては所望の範囲に、また鋼板板幅方向Ｙについては熱延鋼板１の最大板幅に対応する範囲にスプレーヘッダー２Ａの内外を連通する冷却水噴射孔２１１Ａ（図２（ａ）参照）が所定のピッチで多数配列されている。すなわち、本実施例に係る熱延鋼板の冷却装置は多孔式ノズルとなっている。
【００２４】
また、スプレーヘッダー本体部２０２Ａには、スプレー板２０１Ａの外周に対応してフランジ２２１Ａが形成されており、このフランジ２２１Ａがゴムパッキン等の弾性体２０４Ａを介してスプレー板２０１Ａに密着固定されている。換言すると、スプレー板２０１Ａとスプレーヘッダー本体部２０２Ａとは分解可能な構造となっている。
【００２５】
そして、スプレーヘッダー本体部２０２Ａのスプレー板２０１Ａに対向する面の中央部には冷却水供給管３Ａが連結されており、図示しない冷却水供給源からこの冷却水供給管３Ａを介してスプレーヘッダー本体部２０２Ａに高圧の冷却水が供給されるようになっている。
【００２６】
図２及び図３に示すように、スプレーヘッダー本体部２０２Ａの内部には、鋼板搬送方向Ｘの上流側及び下流側の側面に鋼板板幅方向Ｙに沿って延びるガイドレール２２２ＡU，２２２ＡLが設けられている（以下、鋼板搬送方向Ｘの上流側に位置するガイドレール２２２ＡUを「上流ガイドレール２２２ＡU」、鋼板搬送方向Ｘの上流側に位置するガイドレール２２２ＡLを「下流ガイドレール２２２ＡL」と呼称し、総称する場合は「ガイドレール２２２ＡU,L」と呼称する）。
【００２７】
また、マスキングユニット２０３ＡL,Rはそれぞれスプレー板２０１Ａとスプレーヘッダー本体部２０２Ａとによって形成された中空部に鋼板搬送方向Ｘに沿って長手方向を向けて配設されている。より具体的には、マスキングユニット２０３ＡL,Rはスプレー板２０１の冷却水噴射孔２１１に対して鋼板板幅方向Ｙについては所定の長さ、鋼板搬送方向Ｘについては全域にわたって対向するように形成されている。
【００２８】
このマスキングユニット２０３ＡL,Rは、鋼板搬送方向Ｘの上流側及び下流側が各々上流ガイドレール２２２ＡU及び下流ガイドレール２２２ＡLに支持されており、ガイドレール２２２ＡU,Lに沿って鋼板板幅方向Ｙに移動可能に構成されている。また、スプレー板２０１Ａのスプレーヘッダー本体部２０２Ａ側の形状は、マスキングユニット２０３ＡL,Rに干渉する突起物がない平坦面となっている。
【００２９】
上流ガイドレール２２２ＡUには後述する支持ローラ２０６Ａ側に位置決めストッパー２２５ＡLが取り付けられ、下流ガイドレール２２２ＡLには後述する駆動ローラ２０７Ａ側に位置決めストッパー２２５ＡRが取り付けられている（以下、鋼板搬送方向Ｘの上流側から見て左側に位置する位置決めストッパー２２５ＡLを「左位置決めストッパー２２５ＡL」、鋼板搬送方向Ｘの上流側から見て右側に位置する位置決めストッパー２２５ＡRを「右位置決めストッパー２２５ＡR」と呼称し、総称する場合は「位置決めストッパー２２５ＡL,R」と呼称する）。
【００３０】
位置決めストッパー２２５ＡL,Rは、後で詳述するマスキングユニット２０３ＡL,Rのゼロ点調整用に設けられたものであり、これら位置決めストッパー２２５ＡL,Rにそれぞれマスキングユニット２０３ＡL,Rが当接したときに、鋼板板幅方向Ｙの中心から左マスキングユニット２０３ＡLまでの距離と鋼板板幅方向Ｙの中心から右マスキングユニット２０３ＡRまでの距離とが等しくなるように位置決めされている。
【００３１】
上述したマスキングユニット２０３ＡL,Rの鋼板板幅方向Ｙの移動は、上スプレーヘッダー２Ａの外側であって該上スプレーヘッダー２Ａの鋼板板幅方向Ｙの両側に各々配設された支持ローラ２０６Ａ及び駆動ローラ２０７Ａと、これら支持ローラ２０６Ａ及び駆動ローラ２０７Ａにそれぞれ巻きかけられたワイヤ２０５ＡL及びワイヤ２０５ＡRとにより行われる（以下、支持ローラ２０６Ａに巻きかけられたワイヤ２０５ＡLを「左ワイヤ２０５ＡL」、駆動ローラ２０７Ａに巻きかけられたワイヤ２０５ＡRを「右ワイヤ２０５ＡR」と呼称し、総称する場合は「ワイヤ２０５ＡL,R」と呼称する）。
【００３２】
左ワイヤ２０５ＡLは一端がスプレーヘッダー本体部２０２Ａを貫通して左マスキングユニット２０３ＡLの支持ローラ２０６Ａ側の面に固定され、他端がスプレーヘッダー本体部２０２Ａ及び左マスキングユニット２０３ＡLを貫通して右マスキングユニット２０３ＡRの支持ローラ２０６Ａ側の面に固定されている。
【００３３】
右ワイヤ２０５ＡRは、一端がスプレーヘッダー本体部２０２Ａを貫通して右マスキングユニット２０３ＡRの駆動ローラ２０７Ａ側の面であって左ワイヤ２０５ＡLの他端に対向する位置に固定され、他端がスプレーヘッダー本体部２０２Ａ及び右マスキングユニット２０３ＡRを貫通して左マスキングユニット２０３ＡLの駆動ローラ２０７Ａ側の面であって左ワイヤ２０５ＡLの一端に対向する位置に固定されている。なお、右ワイヤ２０５ＡRは駆動ローラ２０７Ａに半周以上巻きつけることにより、駆動ローラ２０７Ａに対してすべりが生じないように構成されているものとする。
【００３４】
これにより、マスキングユニット２０３ＡL,Rは駆動ローラ２０７Ａの回転に伴い、ガイドレール２２２ＡU,Lに沿って相対的に接近離反移動できるようになっている。本実施例では、駆動ローラ２０７Ａを時計回りに回転させるとマスキングユニット２０３ＡL,Rが相互に離反するように移動し、支持ローラ２０６Ａを反時計回りに回転させるとマスキングユニット２０３ＡL,Rが相互に接近するように移動する。
【００３５】
なお、図２（ｂ）に示すように、支持ローラ２０６Ａは固定ベース２６１Ａ上にスライドベース２６２Ａ及びローラホルダ２６３Ａを介して軸方向が鉛直方向と平行になるように支持されている。
固定ベース２６１Ａは上スプレーヘッダ２Ａを支持する図示しないフレーム等の構造物に固定されている。この固定ベース２６１Ａ上にはそれぞれベアリング２６４Ａ，２６４Ａを備えた二つのベアリングボックス２６５Ａ，２６５Ａが鋼板板幅方向Ｙに沿って離間して設置されている。ベアリング２６４Ａ，２６４Ａにはスクリューシャフト２６６Ａが回動自在に支持されている。
【００３６】
スライドベース２６２Ａは、凹部２６２Ａａとこの凹部２６２Ａａの鋼板板幅方向Ｙの両側に位置する凸部２６２Ａｂ，２６２Ａｃとを有する凹状の部材であり、固定ベース２６１Ａ上であって二つのベアリングボックス２６５Ａ，２６５Ａの間に載置されている。
凸部２６２Ａｂ，２６２Ａｃにはスクリューシャフト２６６Ａが貫通している。具体的には、一方（図２（ｂ）では左側）の凸部２６２Ａｂにはネジ穴２６２Ａｄが形成されこのネジ穴２６２Ａｄにスクリューシャフト２６６Ａが螺合している。また、他方（図２（ｂ）では右側）の凸部２６２Ａｃには貫通孔２６２Ａｅが形成されこの貫通孔２６２Ａｅにスクリューシャフト２６６Ａが挿通されている。
【００３７】
ローラホルダ２６３Ａは支持ローラ２０６Ａの軸端をそれぞれ支持する支持部２６３Ａａ，２６３Ａｂと、支持部２６３Ａｂから下方に突出した突出部２６３Ａｃとを一体的に備えている。ローラホルダ２６３Ａは突出部２６３Ａｃがスライドベース２６２Ａの凹部２６２Ａａに挿入された状態で、支持部２６３Ａｂがスライドベース２６２Ａの凸部２６２Ａｂ，２６２Ａｃに支持されている。突出部２６３Ａｃの下面とスライドベース２６２Ａの凹部２６２Ａａの底面との間には隙間が設けられており、また、突出部２６３Ａｃには貫通孔２６３Ａｄが形成されこの貫通孔２６３Ａｃにスクリューシャフト２６６Ａが挿通されている。
【００３８】
さらに、突出部２６３Ａｃと他方の凸部２６２Ａｃとの間にはロードセル２６７Ａが配設されている。ロードセル２６７Ａは突出部２６３Ａｃと凸部２６２Ａｃとの間の圧力を測定するものである。
【００３９】
すなわち、本実施例では、スクリューシャフト２６６Ａを回転させるとこのスクリューシャフト２６６Ａに螺合するネジ穴２６２Ａｄの作用によりスライドベース２６２Ａが鋼板板幅方向Ｙに沿って移動し、これに伴ってローラホルダ２６３Ａを介して支持ローラ２０６Ａがスライドベース２６２Ａと一体的に鋼板板幅方向Ｙに沿って移動するように構成されている。
【００４０】
また、駆動ローラ２０７Ａは図２（ａ）に示すようにローラホルダ２７１Ａに支持されている。そして、駆動ローラ２０７Ａの一方の軸端には当該駆動ローラ２０７Ａを回動させるモータ２０８Ａが連結されている。
なお、ローラホルダ２７１Ａは上スプレーヘッダ２Ａを支持する図示しないフレーム等の構造物に固定されているものとし、図２（ｃ）に示すように軸方向が鉛直方向に対して僅かに傾斜した状態（傾斜角θ）となっている。傾斜角θは、右ワイヤ２０５ＡRが駆動ローラ２０７Ａに半周以上巻きつけられたときに鋼板搬送方向Ｘの上流側と下流側とで右ワイヤ２０５ＡRの状態が等しくなるように（鋼板搬送方向Ｘの上流側と下流側とで右ワイヤ２０５ＡRの位置が水平になるように）設定されるものとする。
【００４１】
なお、図３に示す部材２０９Ａは、右ワイヤ２０５ＡRを押圧する位置と右ワイヤ２０５ＡRから離反する位置との間で移動可能に設けられた張力付与ロールである。
【００４２】
続いて、図４及び図５に基づいて上スプレーヘッダー２Ａのマスキングユニット２０３ＡL,Rの詳細を説明する。図４（ａ）及び図５（ａ）に示すように、左マスキングユニット２０３ＡLは、ガイドレール２２２ＡU,Lに沿って鋼板板幅方向Ｙに摺動可能に設けられたホルダ部２３１Ａ、及び、該ホルダ部２３１Ａとスプレー板２０１Ａとの間に配設されるとともにホルダ部２３１Ａに支持される遮蔽板２３２Ａを具備している。
【００４３】
ホルダ部２３１Ａの鋼板搬送方向Ｘの中心側には上下方向に貫通する貫通孔２３３Ａが形成され、また、ホルダ部２３１Ａの上面であり貫通孔２３３Ａの鋼板搬送方向Ｘの上流側及び下流側にはそれぞれ鋼板板幅方向Ｙに沿って延びる深さｄの凹溝２３４Ａが形成されている。凹溝２３４Ａには鋼板板幅方向Ｙに沿って高さＤ（Ｄ＞ｄ）の少なくとも上下方向に弾性変形可能な弾性体２３５Ａが載置されている。弾性体２３５Ａとしては、例えば鋼板板幅方向Ｙに沿って軸心を向けた円筒状のもの又はバネ等を用いるものとする。
【００４４】
また、遮蔽板２３２Ａは、冷却水噴射孔２１１に対して鋼板板幅方向Ｙについては所定の長さ、鋼板搬送方向Ｘについては全域にわたって対向し、貫通孔２３３Ａ内に挿通される連結部２３６Ａを介して、弾性体２３５Ａの上部に当接する当接部２３７Ａと連結されている。
この遮蔽板２３２Ａには、スプレー板２０１Ａに対向する面の外周縁に沿って環状に（図３参照）平面シール２３８Ａが配設されている。平面シール２３８Ａは断面視概ねＶ字状（より具体的には、カタカナの「フ」字状）に形成され、解放部が遮蔽板２３２Ａの外側を向くように遮蔽板２３２Ａに装着されて、上部が遮蔽板２３２Ａに固定される一方、下部は自由端となっている。
【００４５】
つまり、左マスキングユニット２０３ＡLは、図４に示すようにスプレー不使用時（水圧が作用しない状態）においては弾性体２３５Ａの弾性力により当接部２３７Ａ、連結部２３６Ａを介して遮蔽板２３２Ａが押し上げられてスプレー板２０１Ａから遮蔽板２３２Ａ及び平面シール２３８Ａが離反する一方、図５に示すようにスプレー使用時（水圧が作用している状態）においては水圧により遮蔽板２３２Ａが押し下げられて弾性体２３５Ａが圧縮変形し、平面シール２３８Ａの自由端がスプレー板２０１Ａに接触し且つ水圧によってスプレー板２０１Ａに押し付けられて、平面シール２３８Ａによって囲まれた範囲にある冷却水噴射孔２１１Ａへの冷却水の供給を遮断するように構成されている。これは、右マスキングユニット２０３ＡRについても同様である。
【００４６】
続いて、図６及び図７に基づいてワイヤ２０５ＡL,Rのシール構造について説明する。図６に示すように、右ワイヤ２０５ＡRは、弾性体（例えば、ＮＢＲ）からなる被覆シール２８１Ａによって被覆され、スプレーヘッダー本体部２０２Ａに形成された貫通孔２２３Ａに摺動自在に挿通されている。
貫通孔２２３Ａは、鋼板板幅方向Ｙの内側が外側よりも大径に形成されており、この大径部に例えばテフロン（登録商標）やステンレスなど金属等の高剛性体からなる円筒状のワイヤシール２８２Ａが嵌入されている。ワイヤシール２８２Ａは該ワイヤシール２８２Ａの鋼板板幅方向Ｙの内側の面の外周側を覆う環状のカバー板２８３Ａによって固定されている。カバー板２８３Ａは固定ボルト２０９Ａによってスプレーヘッダー本体部２０２Ａに固定されている。
【００４７】
図７（ａ）に示すように、ワイヤシール２８２Ａは、鋼板板幅方向Ｙの内側の内径が被覆シール２８１Ａの外径と概ね同一であるとともに被覆シール２８１Ａに対向する面が断面視円弧状に形成されている。さらに、鋼板板幅方向Ｙの外側に向かうにしたがって内径が広くなるテーパ部を有している。これにより、被覆シール２８１Ａとワイヤシール２８２Ａとは、図７（ａ）に示すようにスプレー不使用時においては線接触（断面でみると点接触）となる一方、図７（ｂ）に示すようにスプレー使用時においてはワイヤシール２８２Ａのテーパ部が水圧により鋼板板幅方向Ｙの外側に向かって撓み、被覆シール２８１Ａへのしめ代が増加する。
【００４８】
つまり、ワイヤシール２８２Ａは、図７（ａ）に示すようにスプレー不使用時においてはマスキングユニット２０３ＡL,Rを移動させる際に被覆シール２８１Ａとの摩擦を最小限に抑えることができる一方、図７（ｂ）に示すようにスプレー使用時においては被覆シール２８１Ａにしめ代を確保することにより冷却水が貫通孔２２３Ａから漏出することを抑制することができる。また、ワイヤシール２８２Ａは、水圧による作用とは関係なく右ワイヤ２０５ＡRを被覆する被覆シール２８１Ａに一定の押圧を与え密着するとともに、使用する水圧の大きさによって材質や形状（厚み等）を選択されるものとする。これは、左ワイヤ２０５ＡLについても同様である。
【００４９】
なお、以上に説明した本実施例に係る熱延鋼板の冷却装置では、マスキングユニット２０３ＡL,Rによりマスク部材を構成し、ガイドレール２２２ＡU,Lにより案内レールを構成し、ホルダ部２３１Ａにより支持体を構成し、遮蔽板２３２Ａ及び平面シール２３８Ａにより遮蔽体を構成し、モータ２０８Ａにより駆動源を構成し、支持ローラ２０６Ａにより被駆動ローラを構成し、支持ローラ２０６Ａ、駆動ローラ２０７Ａ、ワイヤ２０５ＡL,R及び被覆シール２８１Ａにより第一の移動手段を構成し、ワイヤシール２８２Ａにより第二のシール部材を構成し、ロードセル２６７Ａにより荷重測定手段を構成し、スライドベース２６２Ａ及びスクリューシャフト２６６Ａにより第二の移動手段を構成している。
【００５０】
以下、本実施例に係る熱延鋼板の冷却装置のマスク部材位置調整方法について説明する。
本実施例に係る熱延鋼板の冷却装置では、メンテナンス等によりスプレーヘッダー２を分解し、組み立て直した後、マスキングユニット２０３ＡL,Rの位置調整（以下、「ゼロ点調整」という）を行う。ここで、本実施例ではマスキングユニット２０３ＡL,Rが上スプレーヘッダー２Ａに内蔵されていることからゼロ点調整を目視で行うことはできないため、ゼロ点調整は以下の方法により行う。すなわち、
【００５１】
（１）まず、図８に示すように張力付与ロール２０９Ａをワイヤ２０５ＡRから離反させる。これにより、駆動ローラ２０７Ａと左マスキングユニット２０３ＡLとの間（図８では、点Ｐａと点Ｐｂとの間）で右ワイヤ２０５ＡRの張力ＴRUがゼロ（ＴRU＝０）になる。
【００５２】
張力付与ロール２０９Ａを右ワイヤ２０５ＡRから離反させたら、モータ２０８Ａによりマスキングユニット２０３ＡL,Rが相互に離反するように駆動ローラ２０７Ａを回転させる。
【００５３】
ここで、モータ２０８Ａは駆動ローラ２０７Ａを一定の低トルク２Ｔ0で回転させるものとし、左マスキングユニット２０３ＡLが左位置決めストッパー２２５ＡLに当接する、又は右マスキングユニット２０３ＡRが右位置決めストッパー２２５ＡRに当接することにより右ワイヤ２０５ＡRに一定の張力（ここでは２Ｔ0）がかかると、駆動ローラ２０７Ａはそれ以上回転することなく回転を停止する。これを利用して、本実施例では駆動ローラ２０７Ａの回転の停止をモータ２０８Ａのトルク電流等により検出したら、左マスキングユニット２０３ＡLが左位置決めストッパー２２５ＡLに当接した、又は右マスキングユニット２０３ＡRが右位置決めストッパー２２５ＡRに当接したと判断する。
【００５４】
（２）駆動ローラ２０７Ａの回転停止を検出したら、続いてロードセル２６７Ａによる測定値ＴLに基づいてマスキングユニット２０３ＡL,Rのうちのどちらが位置決めストッパー２２５ＡL,Rに当接したのかを判断する。
【００５５】
具体的には、ロードセル２６７Ａによる測定値ＴLが２Ｔ0よりも小さい（ＴL＜２Ｔ0）場合、左ワイヤ２０５ＡLに荷重が作用しておらず、図９に示すように，右マスキングユニット２０３ＡRの鋼板板幅方向Ｙの中心からの距離が左マスキングユニット２０３ＡLの鋼板板幅方向Ｙの中心からの距離よりも長く、左マスキングユニット２０３ＡLが左位置決めストッパー２２５ＡLに当接するよりも先に右マスキングユニット２０３ＡRが右位置決めストッパー２２５ＡRに当接したと判断して後述する（３）の処理に移行する。
【００５６】
ここで、右マスキングユニット２０３ＡRが先に右位置決めストッパー２２５ＡRに当接し駆動ローラ２０７Ａが回転を停止した状態において、駆動ローラ２０７Ａと右マスキングユニット２０３ＡRとの間（図９では点Ｐａと点Ｐｆとの間）で右ワイヤ２０５ＡRの張力ＴRLは２Ｔ0（ＴRL＝２Ｔ0）となる。また、駆動ローラ２０７Ａと左マスキングユニット２０３ＡLとの間の右ワイヤ２０５ＡRの張力ＴRU、支持ローラ２０６Ａと左マスキングユニット２０３ＡLとの間（図９では点Ｐｄと点Ｐｃとの間）の左ワイヤ２０５ＡLの張力ＴLU、支持ローラ２０６Ａと右マスキングユニット２０３ＡRとの間（図９では点Ｐｄと点Ｐｅとの間）の左ワイヤ２０５ＡLの張力ＴLLはそれぞれゼロ（ＴRU＝０，ＴLU＝０，ＴLL＝０）となる。
【００５７】
一方、ロードセル２６７Ａによる測定値ＴLが２Ｔ0よりも大きい（ＴL＞２Ｔ0）である場合、左ワイヤ２０５ＡLに作用している荷重が駆動ローラ２０７Ａのトルクと同じ値であり、図１０に示すように，左マスキングユニット２０３ＡLの鋼板板幅方向Ｙの中心からの距離が右マスキングユニット２０３ＡRの鋼板板幅方向Ｙの中心からの距離よりも長く、右マスキングユニット２０３ＡRが右位置決めストッパー２２５ＡRに当接するよりも先に左マスキングユニット２０３ＡLが左位置決めストッパー２２５ＡLに当接したと判断して後述する（３’）の処理に移行する。
【００５８】
ここで、左マスキングユニット２０３ＡLが先に左位置決めストッパー２２５ＡLに当接し駆動ローラ２０７Ａが回転を停止した状態において、駆動ローラ２０７Ａと右マスキングユニット２０３ＡRとの間（図１０では点Ｐａと点Ｐｆとの間）で右ワイヤ２０５ＡRの張力ＴRLは２Ｔ0（ＴRL＝０）となる。また、駆動ローラ２０７Ａと左マスキングユニット２０３ＡLとの間の右ワイヤ２０５ＡRの張力ＴRUはゼロ（ＴRU＝０）のままとなり、支持ローラ２０６Ａと左マスキングユニット２０３ＡLとの間（図１０では点Ｐｄと点Ｐｃとの間）の左ワイヤ２０５ＡLの張力ＴLU、支持ローラ２０６Ａと右マスキングユニット２０３ＡRとの間（図１０では点Ｐｄと点Ｐｅとの間）の左ワイヤ２０５ＡLの張力ＴLLは２Ｔ0（ＴLU＝２Ｔ0，ＴLL＝２Ｔ0）となる。また、ロードセル２６７Ａによる測定値ＴLは４Ｔ0（ＴL＝４Ｔ0）となる。
【００５９】
なお、上述した（２）の処理においてロードセル２６７Ａによる測定値ＴLが（ＴL＝２Ｔ0）２Ｔ0であった場合はマスキングユニット２０３ＡL,Rがそれぞれ位置決めストッパー２２５ＡL,Rに当接していると判断することができる。
【００６０】
（３）上述した（２）の処理において右マスキングユニット２０３ＡRが右位置決めストッパー２２５ＡRに当接したと判断したら、続いて、左マスキングユニット２０３ＡLを左位置決めストッパー２２５ＡLに当接する位置まで移動させるため、スクリューシャフト２６６Ａを回転させてスライドベース２６２Ａ、ローラホルダ２６３Ａを介して支持ローラ２０６Ａをスプレーヘッダー２から離反する方向へ移動させる（図９参照）。これにより、左マスキングユニット２０３ＡLが右マスキングユニット２０３ＡRから離反する方向へ移動する。
【００６１】
その後、図１１に示すように左マスキングユニット２０３ＡLが左位置決めストッパー２２５ＡLに当接し、且つロードセル２６７Ａによる測定値ＴLが駆動ローラ２０７Ａのトルクの半分の値（ＴL＝２Ｔ0）となるまで支持ローラ２０６Ａを移動させたらスクリューシャフト２６６Ａの回転を止め、スライドベース２６２Ａの位置を固定するために図２（ｂ）に示すように凸部２６２Ａｃと突出部２６３Ａｃとの間に取外し式の位置決め用スペーサ２６８Ａを取り付ける。
【００６２】
（３’）また、上述した（２）の処理において左マスキングユニット２０３ＡLが左位置決めストッパー２２５ＡLに当接したと判断したら、続いて、右マスキングユニット２０３ＡRを右位置決めストッパー２２５ＡRに当接する位置まで移動させるため、スクリューシャフト２６６Ａを回転させてスライドベース２６２Ａをスプレーヘッダー２に近接する方向へ移動させる（図１０参照）。これにより、右マスキングユニット２０３ＡRが左マスキングユニット２０３ＡLから離反する方向へ移動する。
【００６３】
その後、図１１に示すように右マスキングユニット２０３ＡRが右位置決めストッパー２２５ＡRに当接し、且つロードセル２６７Ａによる測定値ＴLが駆動ローラ２０７Ａのトルクの半分の値（ＴL＝２Ｔ0）となるまで支持ローラ２０６Ａを移動させたらスクリューシャフト２６６Ａの回転を止め、スライドベース２６２Ａの位置を固定するために図２（ｂ）に示すように凸部２６２Ａｃと突出部２６３Ａｃとの間に取外し式の位置決め用スペーサ２６８Ａを取り付ける。
【００６４】
ここで、上述した（３）または（３’）の処理により図１１に示すようにマスキングユニット２０３ＡL,Rがそれぞれ位置決めストッパー２２５ＡL,Rに当接すると、張力ＴRU，ＴLU，ＴLL，ＴRLはそれぞれＴRU＝０，ＴLU＝Ｔ0，ＴLL＝Ｔ0，ＴRL＝２Ｔ0となる。
【００６５】
（４）マスキングユニット２０３ＡR,Lがそれぞれ位置決めストッパー２２５ＡR,Lに当接し、且つロードセル２６７Ａによる測定値ＴLが駆動ローラ２０７Ａのトルクの半分の値（ＴL＝２Ｔ0）となったら、最後に図１２に示すように張力付与ロール２０９Ａを右ワイヤ２０５ＡRに押し当てて、駆動ローラ２０７Ａと左マスキングユニット２０３ＡLとの間で右ワイヤ２０５ＡRに張力ＴRU＝Ｔ0を付与する。これにより、張力ＴRU，ＴLU，ＴLL，ＴRLはそれぞれＴ0（ＴRU＝ＴLU＝ＴLL＝ＴRL＝Ｔ0）となってワイヤ２０５ＡL,Rの張力が相互に釣り合った状態となり、ゼロ点調整が完了する。
【００６６】
上述した熱延鋼板の冷却装置のマスク部材位置調整方法によれば、マスキングユニット２０３ＡL,Rが上スプレーヘッダー２Ａに内蔵されて該マスキングユニット２０３ＡL,Rの位置を目視で確認することができなくても、高精度にマスキングユニット２０３ＡL,Rのゼロ点調整を行うことができる。
なお、上述したゼロ点調整は、例えばメンテナンスのために上スプレーヘッダー２Ａの分解を行った後など、必要に応じて行うものとする。
【００６７】
次に、本実施例に係る熱延鋼板の冷却装置による作用効果について説明する。熱延鋼板の冷却は、ゼロ点調整によりマスキングユニット２０３ＡR,Lの位置を調整した状態で行う。
【００６８】
例えば、熱延鋼板１の鋼板板幅方向Ｙに対し、例えば熱延鋼板１の板端部の過冷却を低減したい場合、スプレー不使用時において、モータ２０８Ａを駆動して駆動ローラ２０７Ａを回転させマスキングユニット２０３ＡL,Rを熱延鋼板１の板端部に対向する位置へと移動させる。
他方、熱延鋼板１の鋼板板幅方向Ｙの中央部の過冷却を低減したい場合、スプレー不使用時において、モータ２０８Ａを駆動して駆動ローラ２０７Ａを回転させマスキングユニット２０３ＡL,Rを熱延鋼板１の鋼板板幅方向Ｙの中央部に対向する位置へと移動させる。
【００６９】
このとき、遮蔽板２３２Ａ及び平面シール２３８Ａは弾性体２３５Ａの弾性力によりスプレー板２０１Ａとは離間しているため、マスキングユニット２０３ＡL,Rの移動の際にスプレー板２０１Ａと接触することがなく、遮蔽板２３２Ａ及び平面シール２３８Ａの劣化を抑制して長寿命化を図ることが可能となる。
また、このときワイヤ２０５Ａを覆う被覆シール２８１Ａがワイヤシール２８２Ａに摺接することとなるが、被覆シール２８１Ａとワイヤシール２８２Ａとの接触は線接触であるため、被覆シール２８１Ａ及びワイヤシール２８２Ａが摩擦により劣化することを抑制することができ、被覆シール２８１Ａ及びワイヤシール２８２Ａの長寿命化を図ることが可能となる。
【００７０】
そして、マスキングユニット２０３ＡL,Rを所望の位置に移動させたら、冷却水供給管３Ａを介して図示しない冷却水供給減から高圧の冷却水をスプレーヘッダー本体部２０２Ａ内へ供給する。
このとき、水圧により平面シール２３８Ａが遮蔽板２３２Ａとともに弾性体２３５Ａの弾性力に反してスプレー板２０１Ａ側へ移動するとともに、平面シール２３８Ａの自由端がスプレー板２０１Ａに押し当てられて平面シール２３８Ａにより囲まれた範囲にある冷却水噴射孔２１１Ａへの冷却水の供給が遮断される。
また、同時にワイヤシール２８２Ａのテーパ部が水圧により鋼板板幅方向Ｙの外側へと撓んで被覆シール２８１Ａに押し当てられ、被覆シール２８１Ａとワイヤシール２８２Ａとの接触圧により、スプレーヘッダー２Ａの内部から外部へ冷却水が漏出することを抑制する。
【００７１】
これにより、熱延鋼板１の板端部の過冷却を低減したい場合には図１（ａ）に示すように冷却水を熱延鋼板１の板中央部に噴射する一方、熱延鋼板１の板端部に冷却水が噴射されることを防止することができ、板端部の過冷却を低減して熱延鋼板１の幅方向の温度分布を均一化することが可能となる。
また、熱延鋼板１の鋼板板幅方向Ｙの中央部の過冷却を低減したい場合には図１（ｂ）に示すように冷却水を熱延鋼板１の板端部側に噴射する一方、熱延鋼板１の板中央部に冷却水が噴射されることを防止することができ、板中央部の過冷却を低減して熱延鋼板１の幅方向の温度分布を均一化することが可能となる。
【００７２】
さらに、このときマスキングユニット２０３ＡL,Rはスプレーヘッダー２Ａの内部において冷却水により冷却されている状態となるため、熱延鋼板１の熱により熱変形するおそれがない。さらに加えて、スプレーヘッダー２０１Ａの内部においてスプレー板２０１Ａの冷却水噴射孔２１１Ａをマスキングユニット２０３ＡL,Rによって直接閉塞することができるため、スプレーヘッダー２Ａ内の冷却水をマスキングユニット２０３ＡL,Rによって覆われた領域以外にある冷却水噴射孔２１１Ａから均等に熱延鋼板１に向けて噴射させることができるため、熱延鋼板１の幅方向両端で板上水が効率的に流れて該板上水の排水経路を安定化させることができる。
【００７３】
なお、本実施例では、一つのスプレーヘッダー２Ａに、それぞれ二つのマスキングユニット２０３ＡL,Rを設ける例を示したが、一つのスプレーヘッダー２Ａに設けるマスキングユニットの個数は二つに限らず、一つまたは三つ以上であってもよく、例えばスライド式に鋼板板幅方向Ｙの長さを変更できるような構成としてもよい。
【００７４】
また、本実施例では、右ワイヤ２０５ＡＲを駆動ローラ２０７Ａに半周以上巻き付けることによって当該右ワイヤ２０５ＡRが駆動ローラ２０７Ａに対してすべりが生じないように構成したが、右ワイヤ２０５ＡRに張力が作用しない状態でも当該右ワイヤ２０５ＡRを駆動ローラ２０７Ａに押し付けることができる構造であれば、他の方法を用いてもよい。
【００７５】
また、本実施例では、第一の移動手段として支持ローラ２０６Ａ、駆動ローラ２０７Ａ、ワイヤ２０５Ａ及び被覆シール２８１Ａを用いる例を示したが、ワイヤ２０５Ａに代えてロープを用いてもよい。
【００７６】
また、本実施例では、荷重検出手段としてロードセル２６７Ａを用いる例を示したが、図１３に示すようにロードセル２６７Ａに代えてばね２６９Ａを用いてもよく、本発明の趣旨を逸脱しない範囲で種々の変更が可能である。
【００７７】
また、上スプレーヘッダー２Ａと下スプレーヘッダー２Ｂとは、下スプレーヘッダー２Ｂのマスキングユニット２０３ＢL，２０３ＢRが、上スプレーヘッダー２Ａのマスキングユニット２０３ＡL,Rに対し、凹溝を形成し弾性体を載置する位置をホルダ部の遮蔽板に対向する面上とする点で異なるのみであるので、下スプレーヘッダー２Ｂについての詳しい説明は省略する。
下スプレーヘッダー２Ｂにマスキングユニット２０３ＢL，２０３ＢRを適用した場合も、上スプレーヘッダー２Ａによる熱延鋼板１の上面の冷却と同様、熱延鋼板１の下面の冷却に関して、熱延鋼板１の幅方向両端部で板上水の流れを妨げる下からの冷却水の噴射を遮断することができ、板上水の排水経路を安定化させるとともに所望の部分の過冷却を低減することができ、装置の大型化を抑制しつつ鋼板板幅方向Ｙの温度分布を均一化することが可能となる。
【００７８】
このように、本発明に係る熱延鋼板の冷却装置及びそのマスク部材位置調整方法によれば、装置の大型化を抑制するとともにマスキングユニット２０３ＡL,R，２０３ＢL,Rの長寿命化を図りつつ、熱延鋼板の幅方向の温度分布を均一化することが可能となり、また、マスキングユニット２０３ＡL,R，２０３ＢL,Rがスプレーヘッダー２Ａ，２Ｂに内蔵された状態であってもマスキングユニット２０３ＡL,Rの位置調整を高精度に行うことが可能となる。
【実施例２】
【００７９】
図１４に基づいて本発明の実施例２に係る熱延鋼板の冷却装置の詳細を説明する。
本実施例に係る熱延鋼板の冷却装置は、図１から図１３に示し上述した実施例１に係る熱延鋼板の冷却装置のマスキングユニット２０３ＡL,Rに代えて、図１４に示すマスキングユニット５０３ＡL，５０３ＡRを用いる例である。その他の構成は実施例１と同様であり、以下、同一の作用を奏する部材には同一の符号を付して重複する説明は省略し、異なる点を中心に説明する。
【００８０】
図１４（ａ）に示すように、本実施例においてマスキングユニット５０３ＡL，５０３ＡRは、鋼板板幅方向Ｙの長さが、鋼板搬送方向Ｘに沿って変化している。具体的には、マスキングユニット５０３ＡL，５０３ＡRは、鋼板搬送方向Ｘの上流側から鋼板搬送方向Ｘの下流側に向かうにしたがって相互の距離が狭くなるように上面視概ね台形状に形成されている。
【００８１】
本実施例に係る熱延鋼板の冷却装置によれば、図１４（ｂ）に示すように、鋼板搬送方向Ｘの上流側においては冷却水の流量を多く、鋼板搬送方向Ｘの下流側においては冷却水の流量を少なくすることができ、上述した実施例１の効果に加えて、鋼板板幅方向Ｙの冷却能力の制御性をより向上させることが可能となる。これは、下スプレーヘッダー２Ｂに適用した場合も同様である。
【実施例３】
【００８２】
図１５に基づいて本発明の実施例３に係る熱延鋼板の冷却装置の詳細を説明する。
本実施例に係る熱延鋼板の冷却装置は、図１から図１３に示し上述した実施例１に係る熱延鋼板の冷却装置の平面シール２３８Ａに代えて、図１５に示すマスキングシート６３０Ａを用いる例である。その他の構成は実施例１と同様であり、以下、同一の作用を奏する部材には同一の符号を付して重複する説明は省略し、異なる点を中心に説明する。
【００８３】
図１５（ａ）に示すように、マスキングシート６３０Ａは、シート状に形成されてマスキングユニット２０３ＡL,Rから該マスキングユニット２０３ＡL,Rの鋼板板幅方向Ｙの外側の全域にわたって冷却水噴射孔２１１Ａを覆うものであり、巻取機７０１Ａによって巻取できるようになっている。なお、図１５（ａ）中の符号７０２Ａはマスキングシート６３０Ａを巻取機７０１Ａへ案内するローラである。
【００８４】
このマスキングシート６３０Ａは、図１５（ｂ）に示すように、例えば鉄を薄い板状に形成した板体３６１Ａを、弾性体からなる被覆シール６３２Ａにより被覆してなり、スプレーヘッダー本体部２０２Ａに形成された貫通孔２２４Ａに摺動自在に挿通されている。貫通孔２２４Ａは、鋼板板幅方向Ｙの内側が外部側よりも大径に形成されて、この大径部に例えばテフロンからなる筒状の平面シール６３３Ａが嵌入されている。平面シール６３３Ａは該平面シール６３３Ａの鋼板板幅方向Ｙの内側の面の外周側を覆う環状のカバー板６３４Ａによって固定されている。カバー板６３４Ａは固定ボルト２０９Ａによってスプレーヘッダー本体部２０２Ａに固定されている。
【００８５】
平面シール６３３Ａは、鋼板板幅方向Ｙの内側の内径が被覆シール６３２Ａの外径と概ね同一であるとともに被覆シール６３２Ａに対向する面が断面視円弧状に形成されている。さらに、鋼板板幅方向Ｙの外側に向かうにしたがって内径が広くなるテーパ部を有している。これにより、被覆シール６３２Ａと平面シール６３３Ａとは、図７に示し上述したワイヤシール２８２Ａと同様に、スプレー不使用時においては線接触（断面でみると点接触）となる一方、スプレー使用時においては平面シール６３３Ａのテーパ部が水圧により鋼板板幅方向Ｙの外側に向かって撓み、被覆シール６３２Ａに押し当てられることとなる。
【００８６】
つまり、平面シール６３３Ａは、スプレー不使用時においては被覆シール６３２Ａとの接触状態が断面視点接触となり、マスキングユニット２０３ＡL,Rを移動させる際に被覆シール６３２Ａとの摩擦を最小限に抑えることができる一方、スプレー使用時においては被覆シール６３２Ａに押し当てられることにより冷却水が貫通孔２２３Ａから漏出することを抑制することができるのである。
【００８７】
以上に説明した本実施例に係る熱延鋼板の冷却装置では、マスキングシート６３０Ａにより遮蔽体を構成し、平面シール６３３Ａにより第一のシール部材を構成している。
【００８８】
このように構成される本実施例に係る熱延鋼板の冷却装置によれば、上述した実施例１に係る熱延鋼板の冷却装置による作用効果に加えて、例えば板幅の狭い熱延鋼板１の冷却を行う場合に熱延鋼板１のエッジの位置に合わせてマスキングユニット２０３ＡL,Rを移動させた際、マスキングユニット２０３ＡL,Rよりも鋼板板幅方向Ｙの外側に冷却水噴射孔２１１Ａがあっても、マスキングシート６３０Ａによってマスキングユニット２０３ＡL,Rよりも鋼板板幅方向Ｙの外側にある冷却水噴射孔２１１を塞ぐことができるため、冷却水を節約することができる。さらにこのとき、冷却水供給管３Ａを介して図示しない冷却水供給減から高圧の冷却水をスプレーヘッダー本体部２０２Ａ内へ供給すると、平面シール６３３Ａのテーパ部が水圧により鋼板板幅方向Ｙの外側へと撓んで被覆シール６３２Ａに押し当てられ、被覆シール６３２Ａと平面シール６３３Ａとの接触圧により、上スプレーヘッダー２Ａの内部から外部へ冷却水が漏出することを抑制することができる。これは、下スプレーヘッダー２Ｂに適用した場合も同様である。
【００８９】
なお、本実施例では、カバー板２８３Ａとカバー板６３４Ａとを別体とする例を示したが、図１６に示すように、マスキングシート６３０Ａを摺動自在に挿通するスプレーヘッダー本体部２０２Ａに形成された貫通孔２２４Ａを、ワイヤ２０５Ａを摺動自在に挿通するスプレーヘッダー本体部２０２Ａに形成された貫通孔２２３Ａの近傍に形成し、ワイヤシール２８２Ａと平面シール６３３Ａとを一つのカバー板６３５Ａにより固定するようにしてもよい。なお、図１６（ａ）に示す符号７０３Ａはマスキングシート６３０Ａを貫通孔へ案内するための案内ブロックである。
【産業上の利用可能性】
【００９０】
本発明は、熱延鋼板の冷却装置及びそのマスク部材位置調整方法に適用して好適なものである。
【符号の説明】
【００９１】
１  熱延鋼板
２，２Ａ，２Ｂ  スプレーヘッダー
３Ａ，３Ｂ  冷却水供給管
２０１Ａ  スプレー板
２０２Ａ  本体部
２０３Ａ，５０３Ａ，６０３Ａ  マスキングユニット
２０４Ａ  ゴムパッキン
２０５Ａ  ワイヤ
２０６Ａ  駆動ローラ
２０７Ａ  支持ローラ
２０８Ａ  モータ
２１１Ａ  冷却水噴射孔
２２１Ａ  フランジ
２２２Ａ  ガイドレール
２２３Ａ  貫通孔
２３１Ａ  ホルダ部
２３２Ａ  遮蔽板
２３４Ａ  凹溝
２３５Ａ  弾性体
２３６Ａ  連結部
２３７Ａ  当接部
２３８Ａ  平面シール
６３１Ａ  板体
６３２Ａ  被覆シール
６３３Ａ  平面シール
６３４Ａ  カバー板
７０１Ａ  巻取機
７０２Ａ  案内ローラ
７０３Ａ  案内ブロック
【図１】
2016215261.tif 000003
【図２】
2016215261.tif 000004
【図３】
2016215261.tif 000005
【図４】
2016215261.tif 000006
【図５】
2016215261.tif 000007
【図６】
2016215261.tif 000008
【図７】
2016215261.tif 000009
【図８】
2016215261.tif 000010
【図９】
2016215261.tif 000011
【図１０】
2016215261.tif 000012
【図１１】
2016215261.tif 000013
【図１２】
2016215261.tif 000014
【図１３】
2016215261.tif 000015
【図１４】
2016215261.tif 000016
【図１５】
2016215261.tif 000017
【図１６】
2016215261.tif 000018